(57)【要約】  第１の透明電極と、第１の透明電極に並行して配置され、第１の透明電極との間で接続されかつ隙間を有する第１の金属電極と、第２の透明電極と、第２の透明電極に並行して配置され、第２の透明電極との間で接続されかつ隙間を有する第２の金属電極と、少なくとも２種類の維持放電電圧を生成して駆動回路に供給する電圧発生回路（３０１）と、第１の透明電極及び第１の金属電極を含む第１の電極と第２の透明電極及び第２の金属電極を含む第２の電極との間に少なくとも２種類の維持放電電圧を印加することにより、少なくとも２種類の維持放電の拡がる領域を持たせる駆動回路（４，５）とを有するプラズマディスプレイ装置が提供される。
2007063587.tif 000002
【特許請求の範囲】
【請求項１】
第１の透明電極と、
前記第１の透明電極に並行して配置され、前記第１の透明電極との間で接続されかつ隙間を有する第１の金属電極と、
第２の透明電極と、
前記第２の透明電極に並行して配置され、前記第２の透明電極との間で接続されかつ隙間を有する第２の金属電極と、
少なくとも２種類の維持放電電圧を生成して前記駆動回路に供給する電圧発生回路と、
前記第１の透明電極及び前記第１の金属電極を含む第１の電極と前記第２の透明電極及び前記第２の金属電極を含む第２の電極との間に前記少なくとも２種類の維持放電電圧を印加することにより、少なくとも２種類の維持放電の拡がる領域を持たせる駆動回路と
を有することを特徴とするプラズマディスプレイ装置。
【請求項２】
さらに、前記第１及び第２の電極が配置される第１の基板と、
前記第１の基板に対向する第２の基板と、
前記第１及び第２の電極に交差するように前記第２の基板上に配置される第３の電極と、
前記第２の基板上において前記第３の電極の両側に配置される隔壁と
を有することを特徴とする請求項１記載のプラズマディスプレイ装置。
【請求項３】
前記電圧発生回路は、前記少なくとも２種類の維持放電電圧のうちの１種類の維持放電電圧を選択的に前記駆動回路に供給することを特徴とする請求項１記載のプラズマディスプレイ装置。
【請求項４】
前記電圧発生回路は、可変の維持放電電圧を生成することを特徴とする請求項３記載のプラズマディスプレイ装置。
【請求項５】
前記電圧発生回路は、前記少なくとも２種類の維持放電電圧を前記駆動回路に供給し、
前記駆動回路は、前記少なくとも２種類の維持放電電圧を選択的に切り替えて１種類の維持放電電圧を前記第１の電極及び前記第２の電極に供給するスイッチを有することを特徴とする請求項１記載のプラズマディスプレイ装置。
【請求項６】
１フィールドは、重み付けされた複数のサブフィールドにより構成され、
前記スイッチは、前記サブフレームの維持放電期間が始まる前にのみ切り替えを行い、前記サブフレームの維持放電期間中には切り替えを行わないことを特徴とする請求項５記載のプラズマディスプレイ装置。
【請求項７】
１フィールドは、重み付けされた複数のサブフィールドにより構成され、
前記スイッチは、あるサブフレームの維持放電期間中に１回のみ切り替えを行うことを特徴とする請求項５記載のプラズマディスプレイ装置。
【請求項８】
１フィールドは、重み付けされた複数のサブフィールドにより構成され、
前記スイッチは、あるサブフレームの維持放電期間中に複数回切り替えを行うことを特徴とする請求項５記載のプラズマディスプレイ装置。
【請求項９】
第１の透明電極と、
前記第１の透明電極に並行して配置され、前記第１の透明電極との間で接続されかつ隙間を有する第１の金属電極と、
第２の透明電極と、
前記第２の透明電極に並行して配置され、前記第２の透明電極との間で接続されかつ隙間を有する第２の金属電極とを有するプラズマディスプレイパネルの駆動方法であって、
少なくとも２種類の維持放電電圧を生成する電圧発生ステップと、
前記第１の透明電極及び前記第１の金属電極を含む第１の電極と前記第２の透明電極及び前記第２の金属電極を含む第２の電極との間に前記少なくとも２種類の維持放電電圧を印加することにより、少なくとも２種類の維持放電の拡がる領域を持たせる駆動ステップと
を有することを特徴とするプラズマディスプレイパネルの駆動方法。
【請求項１０】
前記プラズマディスプレイパネルは、
さらに、前記第１及び第２の電極が配置される第１の基板と、
前記第１の基板に対向する第２の基板と、
前記第１及び第２の電極に交差するように前記第２の基板上に配置される第３の電極と、
前記第２の基板上において前記第３の電極の両側に配置される隔壁と
を有することを特徴とする請求項９記載のプラズマディスプレイパネルの駆動方法。
【請求項１１】
前記電圧発生ステップは、前記少なくとも２種類の維持放電電圧のうちの１種類の維持放電電圧を選択的に生成することを特徴とする請求項９記載のプラズマディスプレイパネルの駆動方法。
【請求項１２】
前記電圧発生ステップは、可変の維持放電電圧を生成することを特徴とする請求項１１記載のプラズマディスプレイパネルの駆動方法。
【請求項１３】
前記電圧発生ステップは、前記少なくとも２種類の維持放電電圧を生成し、
前記駆動ステップは、前記少なくとも２種類の維持放電電圧を選択的に切り替えて１種類の維持放電電圧を前記第１の電極及び前記第２の電極に供給することを特徴とする請求項９記載のプラズマディスプレイパネルの駆動方法。
【請求項１４】
１フィールドは、重み付けされた複数のサブフィールドにより構成され、
前記駆動ステップは、前記サブフレームの維持放電期間が始まる前にのみ切り替えを行い、前記サブフレームの維持放電期間中には切り替えを行わないことを特徴とする請求項１３記載のプラズマディスプレイパネルの駆動方法。
【請求項１５】
１フィールドは、重み付けされた複数のサブフィールドにより構成され、
前記駆動ステップは、あるサブフレームの維持放電期間中に１回のみ切り替えを行うことを特徴とする請求項１３記載のプラズマディスプレイパネルの駆動方法。
【請求項１６】
１フィールドは、重み付けされた複数のサブフィールドにより構成され、
前記駆動ステップは、あるサブフレームの維持放電期間中に複数回切り替えを行うことを特徴とする請求項１３記載のプラズマディスプレイパネルの駆動方法。
【発明の詳細な説明】
【技術分野】
【０００１】
本発明は、プラズマディスプレイ装置及びプラズマディスプレイパネルの駆動方法に関する。
【背景技術】
【０００２】
図１８は、プラズマディスプレイ装置の構成例を示す図である。プラズマディスプレイ装置は、プラズマディスプレイパネル１０２、維持電極１０、走査電極１０３、アドレス電極３１、維持電極駆動回路１００、維持電極駆動回路１００内の維持放電電圧印加回路１０４、走査電極駆動回路２００、走査電極駆動回路２００内の維持放電電圧印加回路２０１、走査回路２５０、アドレス電極駆動回路３００、電源回路４００、維持放電電圧発生回路４０１、アドレス電圧発生回路４０２、制御回路５００、制御回路５００から出力される各種制御信号５０１を有する。【０００３】
維持放電電圧発生回路４０１は、１種類の維持放電電圧を生成し、維持放電電圧印加回路１０４及び２０１に供給する。維持放電電圧印加回路１０４は、維持放電電圧又はグランドを維持電極１０に印加する。維持放電電圧印加回路２０１は、維持放電電圧又はグランドを走査電極１０３に印加する。これにより、維持電極１０及び走査電極１０３間で維持放電が行われる。【０００４】
プラズマディスプレイ装置は消費電力を所定値にするために、表示負荷率に応じて維持放電のパルス数を制御している。各サブフィールドは所定のパルス数比に設定され、輝度比が所定値になるように構成されているが、総パルス数が変化した際にはこの輝度比を所定値に保つことができない。一般的に輝度を変えるためには維持放電の回数を制御するが、１回の維持放電自体の明るさを変える方法もある（特許文献１参照）。【０００５】
総パルス数を減らした場合、各サブフィールドの輝度比を所定値に保てなくなる。特に低階調部では入力信号に対する出力のリニアリティ（直線性）の誤差が大きくなる。このため、低階調部の画質が劣化する恐れがあり、リニアリティの改善が必要となる。【０００６】
また、低階調時は維持放電パルス数が少なくなるが、維持放電電圧は通常階調時と変わらないので消費電力などは変化しない。このような時に、維持放電電圧を下げてプラズマディスプレイパネルや回路の損失を減らして低消費電力とすることも望まれる。また、プラズマディスプレイ装置では、高輝度での表示が望まれている。【０００７】
【特許文献１】特許第３４９９０５８号公報
【発明の開示】
【０００８】
本発明の目的は、少なくとも２種類の維持放電の拡がる領域を持たせるための維持放電電圧を生成することができるプラズマディスプレイ装置及びプラズマディスプレイパネルの駆動方法を提供することである。
【０００９】
本発明の一観点によれば、第１の透明電極と、前記第１の透明電極に並行して配置され、前記第１の透明電極との間で接続されかつ隙間を有する第１の金属電極と、第２の透明電極と、前記第２の透明電極に並行して配置され、前記第２の透明電極との間で接続されかつ隙間を有する第２の金属電極と、少なくとも２種類の維持放電電圧を生成して前記駆動回路に供給する電圧発生回路と、前記第１の透明電極及び前記第１の金属電極を含む第１の電極と前記第２の透明電極及び前記第２の金属電極を含む第２の電極との間に前記少なくとも２種類の維持放電電圧を印加することにより、少なくとも２種類の維持放電の拡がる領域を持たせる駆動回路とを有することを特徴とするプラズマディスプレイ装置が提供される。
【図面の簡単な説明】
【００１０】
【図１】図１は、本発明の第１の実施形態によるプラズマディスプレイパネルの構造例を示す平面図である。
【図２】図２は、プラズマディスプレイパネルの構造例を示す分解部分斜視図である。
【図３】図３は、プラズマディスプレイ装置の構成例を示す図である。
【図４】図４は、画像の１フィールドの構成例を示す図である。
【図５】図５は、プラズマディスプレイ装置の電圧波形例を示す図である。
【図６】図６は、中範囲の放電領域を示す図である。
【図７】図７は、広い放電領域を示す図である。
【図８】図８は、維持放電電圧及び輝度の関係を示すグラフである。
【図９】図９は、第１及び第２のサブフィールドの例を示す図である。
【図１０】図１０は、電力一定制御後の第１及び第２のサブフィールドの例を示す図である。
【図１１】図１１は、表示負荷率と輝度の関係を示すグラフである。
【図１２】図１２は、本発明の第３の実施形態による維持放電電圧及びそれに対応する輝度を示す図である。
【図１３】図１３は、本発明の第４の実施形態によるプラズマディスプレイ装置の構成例を示す図である。
【図１４】図１４は、第１のサブフレーム、第２のサブフレーム及び第３のサブフレームの例を示す概念図である。
【図１５】図１５は、６．５の明るさを表現するための第１のサブフレーム、第２のサブフレーム及び第３のサブフレームの例を示す概念図である。
【図１６】図１６は、本発明の第５の実施形態による６．５の明るさを表現するための第１のサブフレーム、第２のサブフレーム及び第３のサブフレームの例を示す概念図である。
【図１７】図１７は、本発明の第６の実施形態による６．５の明るさを表現するための第１のサブフレーム、第２のサブフレーム及び第３のサブフレームの例を示す概念図である。
【図１８】図１８は、プラズマディスプレイ装置の構成例を示す図である。
【発明を実施するための最良の形態】
【００１１】
（第１の実施形態）
図３は、本発明の第１の実施形態による３電極構造のＡＣ型プラズマディスプレイ装置の構成例を示す図である。制御回路７は、各種制御信号３０８により、Ｘ駆動回路（維持電極駆動回路）４、Ｙ駆動回路（走査電極駆動回路）５、アドレス電極駆動回路６、及び電源回路８を制御する。電源回路８は、維持放電電圧発生回路３０１及びアドレス電圧発生回路３０２を有する。維持放電電圧発生回路３０１は、制御回路７の制御信号３０８に応じて、可変の維持放電電圧を生成し、少なくとも２種類の維持放電電圧のうちの１種類の維持放電電圧を選択的に駆動回路４及び５に供給する。アドレス電圧発生回路３０２は、アドレス電圧を生成し、アドレス電極駆動回路６に供給する。【００１２】
Ｘ駆動回路４は、複数のＸ電極（維持電極）Ｘ１，Ｘ２，・・・に所定の電圧を供給する。以下、Ｘ電極Ｘ１，Ｘ２，・・・の各々を又はそれらの総称を、Ｘ電極Ｘという。Ｙ駆動回路５は、複数のＹ電極（走査電極）Ｙ１，Ｙ２，・・・に所定の電圧を供給する。以下、Ｙ電極Ｙ１，Ｙ２，・・・の各々を又はそれらの総称を、Ｙ電極Ｙという。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａという。この３電極構造は、アドレス電極Ａ、Ｘ電極Ｘ及びＹ電極Ｙを有する。【００１３】
Ｘ駆動回路４は、ＭＯＳ電界効果トランジスタ３０３及び３０４を有する。トランジスタ３０３及び３０４は、維持放電電圧印加回路を構成する。トランジスタ３０３は、制御回路７の制御信号３０８に応じて、維持放電電圧発生回路３０１が生成した維持放電電圧をＸ電極Ｘに印加する。トランジスタ３０４は、制御回路７の制御信号３０８に応じて、グランドをＸ電極Ｘに印加する。【００１４】
同様に、Ｙ駆動回路５は、走査回路３０５、ＭＯＳ電界効果トランジスタ３０６及び３０７を有する。走査回路３０５は、Ｙ電極Ｙ１，Ｙ２，Ｙ３，・・・に順次、スキャン（走査）パルスを印加する。トランジスタ３０６及び３０７は、維持放電電圧印加回路を構成する。トランジスタ３０６は、制御回路７の制御信号３０８に応じて、維持放電電圧発生回路３０１が生成した維持放電電圧をＹ電極Ｙに印加する。トランジスタ３０７は、制御回路７の制御信号３０８に応じて、グランドをＹ電極Ｙに印加する。【００１５】
プラズマディスプレイパネル３では、Ｘ電極Ｘ及びＹ電極Ｙが水平方向に並行して延びる行を形成し、アドレス電極Ａが垂直方向に延びる列を形成する。アドレス電極Ａは、Ｘ電極Ｘ及びＹ電極Ｙに交差するように配置される。Ｘ電極Ｘ及びＹ電極Ｙは、各々横は横行に延び、且つ垂直方向に交互に配置される。Ｙ電極Ｙｉ及びアドレス電極Ａｊは、ｉ行ｊ列の２次元行列を形成する。表示セルＣ１１は、Ｙ電極Ｙ１及びアドレス電極Ａ１の交点並びにそれに対応して隣接するＸ電極Ｘ１により形成される。この表示セルＣ１１が画素に対応する。この２次元行列により、プラズマディスプレイパネル３は２次元画像を表示することができる。【００１６】
図２は、図３のプラズマディスプレイパネル３の構造例を示す分解部分斜視図である。Ｘ電極１１はバス電極（金属電極）、Ｘ電極１２ａ及び１２ｂは透明電極である。Ｘ電極１１、１２ａ及び１２ｂの組みは、図３の１本のＸ電極Ｘに対応し、同一の電圧が印加される。尚、バス電極は透明電極よりも電気的な抵抗値が低い。Ｙ電極１３はバス電極、Ｙ電極１４ａ及び１４ｂは透明電極である。Ｙ電極１３、１４ａ及び１４ｂの組みは、図３の１本のＹ電極Ｙに対応し、同一の電圧が印加される。アドレス電極１７は、図３のアドレス電極Ａに対応する。【００１７】
Ｘ電極１１，１２ａ，１２ｂ及びＹ電極１３，１４ａ，１４ｂは、前面ガラス基板１上に形成されている。その上には、放電空間に対し絶縁するための誘電体層１５が被着されている。誘電体層１５は、前面ガラス基板１上においてＸ電極１１，１２ａ，１２ｂ及びＹ電極１３，１４ａ，１４ｂを覆うように気相成長法で形成されたＳｉＯ２である。さらにその上には、ＭｇＯ（酸化マグネシウム）保護層１６が被着されている。【００１８】
一方、アドレス電極１７は、前面ガラス基板１に対して対向して配置された背面ガラス基板２上に形成される。その上には、誘電体層１８が被着される。更にその上には、蛍光体２０〜２２が被着されている。隔壁（リブ）１９は、背面ガラス基板２上においてアドレス電極１７の両側に配置される。隔壁１９の内面には、赤、青、緑色の蛍光体２０〜２２がストライプ状に各色毎に配列、塗付されている。Ｘ電極１１，１２ａ，１２ｂ及びＹ電極１３，１４ａ，１４ｂの間の維持（サステイン）放電によって蛍光体２０〜２２を励起して各色が発光する。前面ガラス基板１及び背面ガラス基板２との間の放電空間には、Ｎｅ＋Ｘｅペニングガス（放電ガス）等が封入されている。【００１９】
図１は、図２のプラズマディスプレイパネルの構造例を示す平面図である。Ｘ電極１０１ｘは、バス電極１１，１１ｂ及び透明電極１２ａ，１２ｂにより構成される。バス電極１１の下には、透明電極１２ｂが配置されている。バス電極１１の両側には、透明電極１２ａが配置される。バス電極１１は、透明電極１２ａに並行して配置され、透明電極１２ａとの間で接続されかつ隙間ｄｘ１，ｄｘ２を有する。透明電極１２ａ及びバス電極１１は、隔壁１９が投影される前面ガラス基板１上の位置で、バス電極１１ｂにより接続される。【００２０】
Ｙ電極１０１ｙは、バス電極１３，１３ｂ及び透明電極１４ａ，１４ｂにより構成される。バス電極１３の下には、透明電極１４ｂが配置されている。バス電極１３の両側には、透明電極１４ａが配置される。バス電極１３は、透明電極１４ａに並行して配置され、透明電極１４ａとの間で接続されかつ隙間ｄｙ１，ｄｙ２を有する。透明電極１４ａ及びバス電極１３は、隔壁１９が投影される前面ガラス基板１上の位置で、バス電極１３ｂにより接続される。【００２１】
透明電極１２ａ，１２ｂ，１４ａ，１４ｂの材質は、例えばＩＴＯ又はネサである。バス電極１１，１１ｂ，１３，１３ｂは、例えばＣｒ−Ｃｕ−Ｃｒの３層構造又はＡｇの金属電極であり、前面ガラス基板１との密着性を良くするために前面ガラス基板１との間に透明電極が設けられる。【００２２】
バス電極１１ｂ及び１３ｂは、黒色であるので、ブラックストライプの効果により、反射率が低減し、画質を向上させることができる。なお、電極１１ｂ及び１３ｂは、バス電極の代わりに、透明電極にしてもよい。【００２３】
Ｘ電極１０１ｘ及びＹ電極１０１ｙ間の間隔（放電スリット）ｄは、例えば１００μｍである。透明電極１２ａ及びバス電極１１間の隙間ｄｘ１，ｄｘ２は、５０μｍ以上であり、かつＸ電極１０１ｘ及びＹ電極１０１ｙ間の間隔ｄよりも狭い。同様に、透明電極１４ａ及びバス電極１３間の隙間ｄｙ１，ｄｙ２は、５０μｍ以上であり、かつＸ電極１０１ｘ及びＹ電極１０１ｙ間の間隔ｄよりも狭い。隙間ｄｘ１，ｄｘ２，ｄｙ１，ｄｙ２は、放電スリットｄとの違いを明確にするために、放電スリットｄよりも２０μｍ程度、狭いことが好ましい。放電スリットｄが１００μｍの場合、隙間ｄｘ１，ｄｘ２，ｄｙ１，ｄｙ２は、５０μｍ以上、８０μｍ以下が好ましい。【００２４】
図４は、画像の１フィールド６０の構成例を示す図である。１フィールド６０は、例えば、それぞれ重み付けされた第１のサブフィールド６１、第２のサブフィールド６２、・・・、第１０のサブフィールド７０により形成される。サブフィールド数は、例えば１０であり、階調ビット数に関連する。各フィールドは、１枚の画像を表示することができ、例えば６０フィールド／秒で表示される。【００２５】
各サブフィールド６１〜７０は、リセット期間４１、アドレス期間４２及び維持放電（サステイン放電）期間４３により構成される。維持放電期間４３ａ〜４３ｊは、それぞれサブフィールド６１〜７０の維持放電期間４３を表す。以下、維持放電期間４３ａ〜４３ｊの総称を、維持放電期間４３という。リセット期間４１では、表示セルＣ１１等の初期化を行う。【００２６】
アドレス期間４２では、アドレス電極Ａ及びＹ電極Ｙ間のアドレス放電により各表示セルの発光又は非発光を選択することができる。具体的には、Ｙ電極Ｙ１，Ｙ２，Ｙ３，Ｙ４，・・・等に順次スキャン（走査）パルスを印加し、そのスキャンパルスに対応してアドレス電極Ａにアドレスパルスを印加すると共に、Ｘ電極Ｘの電位をＹ電極Ｙとの間で放電できる電位とし、Ｙ電極Ｙとアドレス電極Ａ間の放電を種火としてＸ電極ＸとＹ電極Ｙの間で放電させることにより、所望の表示セルの発光又は非発光を選択することができる。【００２７】
維持放電期間４３では、選択された表示セルのＸ電極Ｘ及びＹ電極Ｙ間で維持放電を行い、発光を行う。各サブフィールド６１〜７０では、Ｘ電極Ｘ及びＹ電極Ｙ間の維持放電パルスによる発光回数（維持放電期間４３の長さ）が異なる。輝度は、１フィールド６０内に含まれる維持放電の回数によって決まる。すなわち、多階調表示に対応するため、各サブフレーム６１〜７０の維持放電期間７３ａ〜７３ｊは、それぞれに割り当てられた輝度の重み付けによって維持放電回数すなわち明るさが異なるようになっている。この例では、第１のサブフレーム６１の維持放電期間７３ａでの維持放電回数に対して、後続のサブフレーム６２〜７０の維持放電回数が順次多くなる様子を示している。例えば、第１０のサブフレーム７０の維持放電回数が一番多く、そのため維持放電期間７３ｊが一番長くなっていることを示している。【００２８】
図５は、プラズマディスプレイ装置の電圧波形例を示す図である。図４のリセット期間４１、アドレス期間４２及び維持放電期間４３の電圧波形例を示す。電圧Ｖｘは、Ｘ電極Ｘの電圧波形である。電圧Ｖｙは、Ｙ電極Ｙの電圧波形である。電圧Ｖａは、アドレス電極Ａの電圧波形である。【００２９】
まず、リセット期間４１について説明する。電圧Ｖｘとして、書き込み電圧５０及び調整電圧５１が印加される。また、電圧Ｖｙとして、書き込み鈍波電圧６０及び調整鈍波電圧６１が印加される。これにより、Ｘ電極Ｘ及びＹ電極Ｙ間で、リセットのための書き込み放電及び調整放電が生じる。【００３０】
次に、アドレス期間４２について説明する。電圧Ｖｘとして、スキャン電圧５２が印加される。また、電圧Ｖｙとして、スキャンパルス６２が印加される。具体的には、Ｙ電極Ｙ１，Ｙ２，Ｙ３，Ｙ４，・・・等に順次スキャンパルス６２が印加される。また、電圧Ｖａとして、各行のスキャンパルス６２に同期して、選択する表示セルにアドレスパルス９０が印加される。スキャンパルス６２に対応してアドレスパルス９０が印加されると、Ｙ電極Ｙ及びアドレス電極Ａ間で放電が生じる。その放電を種火として、Ｘ電極Ｘ及びＹ電極Ｙ間で放電が生じ、Ｘ電極Ｘ及びＹ電極Ｙの近傍に壁電荷が生成される。【００３１】
また、アドレス期間４２の他の電圧波形例を説明する。アドレス期間４２は、前半アドレス期間及び後半アドレス期間に分割される。電圧Ｖｙとして、前半アドレス期間では奇数番目のＹ電極Ｙ１，Ｙ３等にのみ順次スキャンパルス６２を印加し、その後の後半アドレス期間では偶数番目のＹ電極Ｙ２，Ｙ４等にのみ順次スキャンパルス６２を印加する。前半アドレス期間では、電圧Ｖｘとして、奇数番目のＸ電極Ｘ１，Ｘ３にスキャン電圧５２を印加し、電圧Ｖａとして、奇数番目のＹ電極Ｙ１，Ｙ３のスキャンパルス６２に同期して、選択する表示セルにアドレスパルス９０を印加する。後半アドレス期間では、電圧Ｖｘとして、偶数番目のＸ電極Ｘ２，Ｘ４にスキャン電圧５２を印加し、電圧Ｖａとして、偶数番目のＹ電極Ｙ２，Ｙ４のスキャンパルス６２に同期して、選択する表示セルにアドレスパルス９０を印加する。【００３２】
次に、維持放電期間４３について説明する。電圧Ｖｘとして、維持放電パルス５３が印加される。維持放電パルス５３は、維持放電電圧及びグランドにより構成されるパルスが繰り返して印加される。また、電圧Ｖｙとして、維持放電パルス６３が印加される。維持放電パルス６３は、維持放電電圧及びグランドにより構成されるパルスが繰り返して印加され、維持放電パルス５３に対して反転したパルスに相当する。【００３３】
維持放電期間４３では、アドレス期間４２においてアドレスパルス９０が印加されて壁電荷が生成された表示セルのみが放電可能である。維持放電パルス５３及び６３により、Ｘ電極Ｘ及びＹ電極Ｙ間で放電が生じる。維持放電パルス５３及び６３の数だけ放電を繰り返す。この維持放電により、発光する。【００３４】
次に、リセット期間４１の最初では、電圧Ｖｘとして鈍波電圧５４が印加され、電圧Ｖｙとしてパルス６４が印加される。その後、上記で説明したリセット期間４１につながる。【００３５】
図８は、維持放電電圧及び輝度の関係を示すグラフである。横軸は、図５の維持放電パルス５３及び６３の電圧Ｖｓ１，Ｖｓ２，Ｖｓ３を示す。図３の維持放電電圧発生回路３０１は、例えば３種類の維持放電電圧Ｖｓ１，Ｖｓ２，Ｖｓ３のうちの１種類の維持放電電圧を選択的に生成する。Ｖｓ１＜Ｖｓ２＜Ｖｓ３の関係を有する。例えば、Ｖｓ３は８５Ｖ、Ｖｓ２は８０Ｖ、Ｖｓ１は７５Ｖである。【００３６】
第１の維持放電では、維持放電パルス５３及び６３は、電圧Ｖｓ１及びグランドのパルスである。Ｘ電極Ｘ及びＹ電極Ｙ間にはＶｓ１の電圧が印加され、放電する。低電圧の維持放電パルス５３及び６３が印加されると、図１に示すように、放電領域２５〜２７が形成される。放電領域２５〜２７は、放電スリットｄに隣接するＸ透明電極１２ａ及びＹ透明電極１４ａ間にのみ拡がり、狭い放電領域を形成する。【００３７】
第２の維持放電では、維持放電パルス５３及び６３は、電圧Ｖｓ２及びグランドのパルスである。Ｘ電極Ｘ及びＹ電極Ｙ間にはＶｓ２の電圧が印加され、放電する。中電圧の維持放電パルス５３及び６３が印加されると、図６に示すように、放電領域２５〜２７が形成される。放電領域２５〜２７は、放電スリットｄに隣接する透明電極１２ａ，１４ａ及びバス電極１１，１３を含む領域に拡がり、中範囲の放電領域を形成する。【００３８】
第３の維持放電では、維持放電パルス５３及び６３は、電圧Ｖｓ３及びグランドのパルスである。Ｘ電極Ｘ及びＹ電極Ｙ間にはＶｓ３の電圧が印加され、放電する。高電圧の維持放電パルス５３及び６３が印加されると、図７に示すように、放電領域２５〜２７が形成される。放電領域２５〜２７は、Ｘ電極１０１ｘ及びＹ電極１０１ｙの全領域に拡がり、広い放電領域を形成する。【００３９】
Ｘ電極Ｘ及びＹ電極Ｙ間に３種類の維持放電パルスを印加することにより、図１、図６及び図７に示すように、３種類の維持放電の拡がる領域を持たせ、３種類の維持放電を行わせることができる。【００４０】
図８において、実線は図１等に示すプラズマディスプレイパネルの特性を示し、破線は図１のＸ電極１０１ｘ及びＹ電極１０１ｙがそれぞれ隙間ｄｘ１、ｄｘ２及び隙間ｄｙ１、ｄｙ２がなく一体化されている場合の特性を示す。【００４１】
破線では、放電空間でバス電極と透明電極が連続的につながっており、放電の分離がないので、輝度は放電の広がりと維持放電電圧上昇による放電強度上昇で高くなる。その結果、輝度は、維持放電電圧に対して連続的（線形的）に変化する。【００４２】
実線では、Ｘ電極１０１ｘ及びＹ電極１０１ｙがそれぞれ隙間ｄｘ１，ｄｘ２及び隙間ｄｙ１，ｄｙ２を有するので、図１、図６及び図７に示す３段階で特性が段階的に変化する。維持放電電圧がＶｓ１のときには、図１に示す放電領域２５〜２７を有し、その近辺の維持放電電圧において、輝度Ｌ１がほぼ一定である。同様に、維持放電電圧がＶｓ２のときには、図６に示す放電領域２５〜２７を有し、その近辺の維持放電電圧において、輝度Ｌ２がほぼ一定である。同様に、維持放電電圧がＶｓ３のときには、図７に示す放電領域２５〜２７を有し、その近辺の維持放電電圧において、輝度Ｌ３がほぼ一定である。輝度上昇は、各段階内では維持放電電圧上昇による放電強度の上昇のみとなり、変化が小さくなる。製造バラツキにより、放電スリットｄの間隔がばらついても、輝度の変化は小さくむらが少なくなる。これに対し、破線の場合には、放電スリットｄの間隔のばらつきによる輝度変化が大きくなってしまう。また、実線では、透明電極及びバス電極の隙間ｄｘ１，ｄｘ２，ｄｙ１，ｄｙ２により、放電の広がりが段階的になり、維持放電電圧で明確に輝度を分離できる。【００４３】
図１１は、表示負荷率と輝度の関係を示すグラフである。特性９０１は、維持放電電圧がＶｓ１のときの特性である。特性９０２は、維持放電電圧がＶｓ２のときの特性である。特性９０３は、維持放電電圧がＶｓ３のときの特性である。【００４４】
制御回路７は、入力画像信号に応じて表示負荷率を検出する。表示負荷率は、発光する画素数及びその発光する画素の階調値を基に検出される。例えば、画像の全画素が最大階調値で表示されている場合は表示負荷率が１００％である。また、画像の全画素が最大階調値の１／２で表示されている場合は表示負荷率が５０％である。また、画像の半分（５０％）の画素のみが最大階調値で表示されているような場合にも、表示負荷率が５０％である。【００４５】
制御回路７は、表示負荷率に基づいて電力が一定になるように、Ｘ電極及びＹ電極に印加する１フィールドの合計維持放電パルス数を決定する。具体的には、表示負荷率が所定値以上になると、電力が一定になるように、１フィールドの合計維持放電パルス数を減らす。その結果、表示負荷率が所定値以上になると、輝度が低くなっていく。【００４６】
図９は、第２のサブフィールド１３０１及び第１のサブフィールド１３０２の例を示す図である。例えば、第２のサブフィールド１３０１は図４の第２のサブフィールド６２に対応し、第１のサブフィールド１３０２は図４の第１のサブフィールド６１に対応する。例えば、表示負荷率が所定値未満であるときには、第２のサブフィールド１３０１は８個の維持放電パルスを有し、第１のサブフィールド１３０２は４個の維持放電パルスを有する。サブフィールド１３０１及び１３０２内の維持放電パルスは、すべて同一の維持放電電圧であり、例えばＶｓ３である。第２のサブフィールド１３０１及び第１のサブフィールド１３０２の輝度比は、８：４＝２：１である。すなわち、第１のサブフィールド１３０２は、第２のサブフィールド１３０１の半分の輝度を表現することができる。これにより、階調値と輝度との間のリニアリティを持たせることができる。【００４７】
図１０は、上記の電力一定制御後の第２のサブフィールド１４０１及び第１のサブフィールド１４０２，１４０３の例を示す図である。例えば、第２のサブフィールド１４０１は図４の第２のサブフィールド６２に対応し、第１のサブフィールド１４０２，１４０３は図４の第１のサブフィールド６１に対応する。電力一定制御により、表示負荷率が所定値以上のときには、例えば、第２のサブフィールド１４０１の維持放電パルス数が８個から７個に減る。第２のサブフィールド１４０１内の維持放電パルスは、すべて同一の維持放電電圧であり、例えばＶｓ３である。この際、第１のサブフィールドにより、第２のサブフィールド１４０１の半分の輝度を表現するには、３．５個の維持放電パルスが必要になる。しかし、維持放電電圧Ｖｓ３だけでは、３．５個の維持放電パルスを実現することができない。【００４８】
第１のサブフィールド１４０２は、４個の維持放電パルスを有する。最初の３個の維持放電パルスは維持放電電圧Ｖｓ３であり、最後の１個の維持放電パルスは維持放電電圧Ｖｓ１である。維持放電電圧Ｖｓ１の輝度Ｌ１は、維持放電電圧Ｖｓ３の輝度Ｌ３の約半分である。したがって、第１のサブフィールド１４０２は、第２のサブフィールド１４０１の半分の輝度を実現することができる。駆動回路４及び５は、１サブフィールド内で少なくとも２種類の維持放電を行わせる。このように電力一定制御により、１フィールド内の合計維持放電パルス数が減った場合でも、階調値と輝度との間のリニアリティを維持することができ、画質を向上させることができる。特に、維持放電パルス数が少ない低階調部において、リニアリティが崩れ易いので、低階調部における画質を改善できる効果が大きい。【００４９】
なお、維持放電電圧Ｖｓ１の維持放電パルスの位置は、最後に限らず、どこでもよい。また、維持放電電圧Ｖｓ１、Ｖｓ２及びＶｓ３の組み合わせは、自由である。【００５０】
第１のサブフィールド１４０３は、他の例を示すものであり、７個の維持放電パルスを有する。第１のサブフィールド１４０３内のすべての維持放電パルスは維持放電電圧Ｖｓ１である。維持放電電圧Ｖｓ１の輝度は、維持放電電圧Ｖｓ３の輝度の約半分である。したがって、第１のサブフィールド１４０３は、第２のサブフィールド１４０１の半分の輝度を実現することができる。駆動回路４及び５は、各サブフィールド内では１種類の維持放電を行わせる。例えば、第２のサブフィールド１４０１内では１種類の維持放電電圧Ｖｓ３による維持放電を行わせ、第１のサブフィールド１４０３内では１種類の維持放電電圧Ｖｓ１による維持放電を行わせる。【００５１】
本実施形態によれば、駆動回路４及び５は、Ｘ電極及びＹ電極間に少なくとも２種類の維持放電電圧を印加することにより、少なくとも２種類の維持放電の拡がる領域を持たせ、１フィールド内で少なくとも２種類の維持放電を行わせる。【００５２】
プラズマディスプレイパネル３は放電を行う表示セル内ではバス電極と透明電極との間に隙間を設ける。バス電極及び透明電極は、隔壁が投影される位置でバス電極により接続される。維持放電電圧を変えることにより、放電領域の拡がりは維持放電電圧に対して段階的になり、輝度（明るさ）を段階的に変える。重みの小さい（維持放電パルス数の少ない）サブフィールドでは、維持放電電圧を下げて、放電領域の拡がりを狭くした放電を使用し、輝度の刻みを小さくする。これにより、階調値と輝度の間のリニアリティを改善することができる。電力一定制御により、１フィールド内の合計維持放電パルス数が減ったときでも、階調値と輝度との間のリニアリティを保ち、特に低階調部の画質を改善することができる。【００５３】
（第２の実施形態）
本発明の第２の実施形態によるプラズマディスプレイ装置について説明する。以下、本実施形態が第１の実施形態と異なる点を説明する。図３において、制御回路７は、ユーザが例えばスイッチ等の選択手段を操作し、小電力モード（省エネモード）、標準モード及び高輝度モードのうちの１つを選択する。また、制御回路７は、選択されたモードに応じて、Ｘ駆動回路４、Ｙ駆動回路５、及び維持放電電圧発生回路３０１を制御する。【００５４】
小電力モードでは、維持放電パルス５３及び６３は、維持放電電圧Ｖｓ１及びグランドにより構成されるパルスである。低電圧の維持放電パルス５３及び６３が印加されると、図１に示すように、放電領域２５〜２７が形成される。放電領域２５〜２７は、放電スリットｄに隣接するＸ透明電極１２ａ及びＹ透明電極１４ａ間にのみ拡がり、狭い放電領域を形成する。【００５５】
標準モードでは、維持放電パルス５３及び６３は、維持放電電圧Ｖｓ２及びグランドにより構成されるパルスである。中電圧の維持放電パルス５３及び６３が印加されると、図６に示すように、放電領域２５〜２７が形成される。放電領域２５〜２７は、放電スリットｄに隣接する透明電極１２ａ，１４ａ及びバス電極１１，１３を含む領域に拡がり、中範囲の放電領域を形成する。【００５６】
高輝度モードでは、維持放電パルス５３及び６３は、維持放電電圧Ｖｓ３及びグランドにより構成されるパルスである。高電圧の維持放電パルス５３及び６３が印加されると、図７に示すように、放電領域２５〜２７が形成される。放電領域２５〜２７は、Ｘ電極１０１ｘ及びＹ電極１０１ｙの全領域に拡がり、広い放電領域を形成する。【００５７】
Ｘ電極及びＹ電極間に３種類のモードの維持放電パルスを印加することにより、図１、図６及び図７に示すように、３種類の維持放電の拡がる領域を持たせ、３種類の維持放電を行わせることができる。【００５８】
また、図８において、小電力モードでは、維持放電電圧がＶｓ１になり、図１に示す放電領域２５〜２７を有し、その近辺の維持放電電圧において、輝度Ｌ１がほぼ一定である。維持放電電圧が低いので、小電力及び省エネの表示を実現することができる。すなわち、維持放電電圧が小さいので、発光効率が向上し、不要な電力の削減を図ることができる。【００５９】
標準モードでは、維持放電電圧がＶｓ２になり、図６に示す放電領域２５〜２７を有し、その近辺の維持放電電圧において、輝度Ｌ２がほぼ一定である。維持放電電圧が標準であるので、標準の電力及び輝度の表示を実現することができる。【００６０】
高輝度モードでは、維持放電電圧がＶｓ３になり、図７に示す放電領域２５〜２７を有し、その近辺の維持放電電圧において、輝度Ｌ３がほぼ一定である。維持放電電圧が大きく、放電領域２５〜２７が広いので、高輝度の表示を実現することができる。【００６１】
輝度上昇は、各段階内では維持放電電圧上昇による放電強度の上昇のみとなり、変化が小さくなる。製造バラツキにより、放電スリットｄの間隔がばらついても、輝度の変化は小さくむらが少なくなる。これに対し、破線の場合には、放電スリットｄの間隔のばらつきによる輝度変化が大きくなってしまう。また、実線では、透明電極及びバス電極の隙間ｄｘ１，ｄｘ２，ｄｙ１，ｄｙ２により、放電の広がりが段階的になり、維持放電電圧で明確に輝度を分離できる。【００６２】
また、図１１において、小電力モード９０１は、維持放電電圧がＶｓ１のときのモード特性である。標準モード９０２は、維持放電電圧がＶｓ２のときのモード特性である。高輝度モード９０３は、維持放電電圧がＶｓ３のときのモード特性である。【００６３】
制御回路７は、入力画像信号に応じて表示負荷率を検出し、表示負荷率に基づいて電力が一定になるように、Ｘ電極及びＹ電極に印加する１フィールドの合計維持放電パルス数を決定する。具体的には、表示負荷率が所定値以上になると、電力が一定になるように、１フィールドの合計維持放電パルス数を減らす。その結果、表示負荷率が所定値以上になると、輝度が低くなっていく。【００６４】
小電力モード９０１では、維持放電電圧が低いので、発光効率が向上し、不要な電力の削減を図ることができ、特に、表示負荷率が１０〜３０％程度の一般的な動画では、比較的輝度を上げることができる。高輝度モード９０３では、維持放電電圧が高く、放電領域が広いので、より高輝度の表示を行うことができる。【００６５】
本実施形態によれば、駆動回路４及び５は、Ｘ電極及びＹ電極間に少なくとも２種類の維持放電電圧を印加することにより、少なくとも２種類の維持放電の拡がる領域を持たせることができる。駆動回路４及び５は、同一フィールド内では同一種類の維持放電を行わせる。すなわち、モード選択後、フィールド単位でモードを切り替える。【００６６】
プラズマディスプレイパネル３は放電を行う表示セル内ではバス電極と透明電極との間に隙間を設ける。バス電極及び透明電極は、隔壁が投影される位置でバス電極により接続される。維持放電電圧を変えることにより、放電領域の拡がりは維持放電電圧に対して段階的になり、輝度（明るさ）を段階的に変える。【００６７】
維持放電パルス数を減らしても、維持放電電圧が変わらなければ、発光効率は変化しない。また、維持放電電圧が低いほど、プラズマディスプレイパネルや駆動回路での損失が少なくなるため、発光効率は高くなる。【００６８】
標準モードでは、維持放電電圧が標準であるので、標準の消費電力及び輝度で表示を行う。小電力モードでは、維持放電電圧を低くすることにより、発光効率を高くし、消費電力を小さくすることができる。高輝度モードでは、維持放電電圧を高くすることにより、高輝度の表示を行うことができる。【００６９】
（第３の実施形態）
図１２は、本発明の第３の実施形態による維持放電電圧１２０１及びそれに対応する輝度１２０２を示す図である。本実施形態は、第１及び第２の実施形態のプラズマディスプレイ装置の維持放電電圧制御の方法を説明する。【００７０】
維持放電電圧１２０１は、図３の維持放電電圧発生回路３０１が生成する維持放電電圧の時間変化の例を示す。時刻ｔ０〜ｔ１，ｔ２〜ｔ３，ｔ５〜では、通常使用される維持放電電圧Ｖｓ２が生成される。時刻ｔ１〜ｔ２，ｔ４〜ｔ５では、維持放電電圧Ｖｓ３が生成される。時刻ｔ３〜ｔ４では、維持放電電圧Ｖｓ１が生成される。この変化は、表示する映像の平均輝度や設置場所の照度などに応じて、度秒単位以上のゆっくりとした速度で行われる。この変化に従い、維持放電電圧印加回路３０３，３０４，３０６，３０７は、維持放電期間４３中に３種類の異なる維持放電電圧Ｖｓ１，Ｖｓ２，Ｖｓ３のうちから選択された１つの維持放電電圧の維持放電パルス５３，６３を生成して、Ｘ電極及びＹ電極に印加する。プラズマディスプレイパネル３は、図８に示したように、印加された維持放電電圧に応じた輝度を生じるので、上記の維持放電電圧１２０１の変化に伴って、輝度１２０２が変化する。つまり、通常使用される維持放電電圧Ｖｓ２の時に比べて、維持放電電圧Ｖｓ３の時は明るくなる。また、維持放電電圧Ｖｓ１の時は暗い表示となるが、同時に、使用電圧が低下することで回路損失もその分低下しており、小消費電力状態をも実現することができる。【００７１】
このように、維持放電電圧によりプラズマディスプレイパネル３の輝度を制御することにより、例えば維持放電電圧Ｖｓ３の時には消費電力は大きいが輝度の高い状態を実現することができる。また、維持放電電圧Ｖｓ１の時には低電圧駆動による低輝度で小消費電力の状態を実現することができる。【００７２】
（第４の実施形態）
図１３は、本発明の第４の実施形態によるプラズマディスプレイ装置の構成例を示す図である。以下、本実施形態が第１〜第３の実施形態と異なる点を説明する。維持放電電圧発生回路３１０は、図３の維持放電電圧発生回路３０１の代わりに設けられる。ＭＯＳ電界効果トランジスタ３１１〜３１３は、図３のトランジスタ３０３及び３０４の代わりに設けられる。ＭＯＳ電界効果トランジスタ３２１〜３２３は、図３のトランジスタ３０６及び３０７の代わりに設けられる。維持放電電圧発生回路３１０は、２種類の維持放電電圧Ｖｓ１及びＶｓ３を駆動回路４及び５に供給する。【００７３】
トランジスタ３１１〜３１３は、維持放電電圧印加回路を構成する。トランジスタ３１１は、制御回路７の制御信号３０８に応じて、維持放電電圧発生回路３１０が生成した維持放電電圧Ｖｓ１をＸ電極Ｘに印加する。トランジスタ３１３は、制御回路７の制御信号３０８に応じて、維持放電電圧発生回路３１０が生成した維持放電電圧Ｖｓ３をＸ電極Ｘに印加する。トランジスタ３１２は、制御回路７の制御信号３０８に応じて、グランドをＸ電極Ｘに印加する。【００７４】
同様に、トランジスタ３２１〜３２３は、維持放電電圧印加回路を構成する。トランジスタ３２１は、制御回路７の制御信号３０８に応じて、維持放電電圧発生回路３１０が生成した維持放電電圧Ｖｓ１をＹ電極Ｙに印加する。トランジスタ３２３は、制御回路７の制御信号３０８に応じて、維持放電電圧発生回路３１０が生成した維持放電電圧Ｖｓ３をＹ電極Ｙに印加する。トランジスタ３２２は、制御回路７の制御信号３０８に応じて、グランドをＹ電極Ｙに印加する。【００７５】
２種類の維持放電電圧Ｖｓ１及びＶｓ３を選択的に印加する場合を例に説明したが、３種類以上の維持放電電圧を選択的に印加するようにしてもよい。駆動回路４及び５は、少なくとも２種類の維持放電電圧を選択的に切り替えて１種類の維持放電電圧をＸ電極Ｘ及びＹ電極Ｙに供給するスイッチ３１１，３１３，３２１，３２３を有する。【００７６】
このような構成にすることにより、Ｘ電極Ｘ及びＹ電極Ｙに印加する維持放電電圧を、図５の維持放電パルス５３，６３単位で、任意の維持放電電圧Ｖｓ１，Ｖｓ２，Ｖｓ３に制御することができる。この際、通常は維持放電電圧Ｖｓ２を使用している。【００７７】
図１４は、第１のサブフレーム１１０１、第２のサブフレーム１１０２及び第３のサブフレーム１１０３の例を示す概念図である。第１のサブフレーム１１０１、第２のサブフレーム１１０２及び第３のサブフレーム１１０３は、図４の第１のサブフレーム６１、第２のサブフレーム６２及び第３のサブフレーム６３に対応し、それぞれ維持放電パルス数の重みが１、２及び４である。【００７８】
１マスが１つの維持放電パルスに対応しており、その幅が輝度レベル（明るさ）を示す。３つのサブフレーム１１０１〜１１０３内の７つの維持放電パルスは、例えばすべて維持放電電圧がＶｓ３である。３つのサブフレーム１１０１〜１１０３の輝度重み（階調表現力）は、それぞれ１：２：４である。これらを組み合わせて、０〜７までの階調値を表現することができる。３つのサブフレーム１１０１〜１１０３を点灯させると、７の明るさを表現することができる。２つのサブフレーム１１０２及び１１０３を点灯させると、６の明るさを表現することができる。この方法だと、もし６．５という明るさが必要になっても６又は７の明るさしか表現できない。【００７９】
図１５は、６．５の明るさを表現するための第１のサブフレーム１１１１、第２のサブフレーム１１１２及び第３のサブフレーム１１１３の例を示す概念図である。第１のサブフレーム１１１１、第２のサブフレーム１１１２及び第３のサブフレーム１１１３は、図４の第１のサブフレーム６１、第２のサブフレーム６２及び第３のサブフレーム６３に対応し、それぞれ維持放電パルス数の重みが１、２及び４である。【００８０】
第２及び第３のサブフレーム１１１２及び１１１３内の６つの維持放電パルスは、例えばすべて維持放電電圧がＶｓ３である。第１のサブフレーム１１１１内の１つの維持放電パルスは、例えば維持放電電圧がＶｓ１である。維持放電電圧Ｖｓ１の輝度Ｌ１は、維持放電電圧Ｖｓ３の輝度Ｌ３の約半分である。３つのサブフレーム１１１１〜１１１３を点灯させると、６．５の明るさを表現することができる。【００８１】
図１３において、第１のサブフレーム１１０１の維持放電期間４３が開始する前に、スイッチ３１１及び３２１の使用状態からスイッチ３１３及び３２３の使用状態に切り替える。【００８２】
以上のように、駆動回路４及び５は、少なくとも２種類の維持放電電圧を選択的に切り替えて１種類の維持放電電圧をＸ電極Ｘ及びＹ電極Ｙに供給するスイッチ３１１，３１３，３２１，３２３を有する。スイッチ３１１，３１３，３２１，３２３は、サブフレームの維持放電期間４３が始まる前にのみ切り替えを行い、サブフレームの維持放電期間４３中には切り替えを行わない。【００８３】
（第５の実施形態）
図１６は、本発明の第５の実施形態による６．５の明るさを表現するための第１のサブフレーム１１２１、第２のサブフレーム１１２２及び第３のサブフレーム１１２３の例を示す概念図である。第１のサブフレーム１１２１、第２のサブフレーム１１２２及び第３のサブフレーム１１２３は、図４の第１のサブフレーム６１、第２のサブフレーム６２及び第３のサブフレーム６３に対応し、それぞれ維持放電パルス数の重みが１、２及び４である。【００８４】
第１及び第３のサブフレーム１１２１及び１１２３内の５つの維持放電パルスは、例えばすべて維持放電電圧がＶｓ３である。第２のサブフレーム１１２２では、１つ目の維持放電パルスは維持放電電圧がＶｓ３であり、２つ目の維持放電パルスは維持放電電圧がＶｓ１である。維持放電電圧Ｖｓ１の輝度Ｌ１は、維持放電電圧Ｖｓ３の輝度Ｌ３の約半分である。３つのサブフレーム１１２１〜１１２３を点灯させると、６．５の明るさを表現することができる。維持放電電圧の切り替えは、維持放電期間４３が始まってから行ってもよく、第２のサブフレーム１１２２が開始してから行うことも可能である。【００８５】
以上のように、駆動回路４及び５は、少なくとも２種類の維持放電電圧を選択的に切り替えて１種類の維持放電電圧をＸ電極Ｘ及びＹ電極Ｙに供給するスイッチ３１１，３１３，３２１，３２３を有する。スイッチ３１１，３１３，３２１，３２３は、あるサブフレーム１１２２の維持放電期間４３中に１回のみ切り替えを行うことができる。【００８６】
（第６の実施形態）
図１７は、本発明の第６の実施形態による６．５の明るさを表現するための第１のサブフレーム１１３１、第２のサブフレーム１１３２及び第３のサブフレーム１１３３の例を示す概念図である。第１のサブフレーム１１３１、第２のサブフレーム１１３２及び第３のサブフレーム１１３３は、図４の第１のサブフレーム６１、第２のサブフレーム６２及び第３のサブフレーム６３に対応し、それぞれ維持放電パルス数の重みが１、２及び４である。【００８７】
第１及び第２のサブフレーム１１３１及び１１３２内の３つの維持放電パルスは、例えばすべて維持放電電圧がＶｓ３である。第３のサブフレーム１１３３では、１、２及び４つ目の維持放電パルスは維持放電電圧がＶｓ３であり、３つ目の維持放電パルスは維持放電電圧がＶｓ１である。維持放電電圧Ｖｓ１の輝度Ｌ１は、維持放電電圧Ｖｓ３の輝度Ｌ３の約半分である。３つのサブフレーム１１３１〜１１３３を点灯させると、６．５の明るさを表現することができる。維持放電電圧の切り替えは、維持放電期問４３が始まってから複数回行ってもよく、第３のサブフレーム１１３３の維持放電期間４３中に行うことも可能である。【００８８】
以上のように、駆動回路４及び５は、少なくとも２種類の維持放電電圧を選択的に切り替えて１種類の維持放電電圧をＸ電極Ｘ及びＹ電極Ｙに供給するスイッチ３１１，３１３，３２１，３２３を有する。スイッチ３１１，３１３，３２１，３２３は、あるサブフレーム１１３３の維持放電期間４３中に複数回切り替えを行うことができる。【００８９】
第１〜第６の実施形態によれば、維持放電電圧発生回路３０１又は３１０は、少なくとも２種類の維持放電電圧を生成して駆動回路４及び５に供給する。駆動回路４及び５は、Ｘ電極Ｘ及びＹ電極Ｙとの間に前記少なくとも２種類の維持放電電圧を印加することにより、少なくとも２種類の維持放電の拡がる領域を持たせることができる。【００９０】
第１の実施形態では、１フィールド内の合計維持放電パルス数が減ったときでも、階調値と輝度との間のリニアリティを保ち、高画質を維持することができる。第２の実施形態では、小電力モードによる表示又は高輝度モードによる表示を行うことができる。【００９１】
なお、図１において、Ｘ電極１０１ｘは両隣のＹ電極１０１ｙに対して維持放電が可能であり、Ｙ電極１０１ｙも両隣のＸ電極１０１ｘに対して維持放電が可能である。Ｘ電極１０１ｘは、下側に隣接するＹ電極１０１ｙに対してのみ維持放電可能な構成にしてもよい。その場合、バス電極１１の上側に隣接する透明電極１２ａを削除し、バス電極１３の下側に隣接する透明電極１４ａを削除することができる。【００９２】
本実施形態のプラズマディスプレイ装置は、パーソナルコンピュータやワークステーション等のディスプレイ装置、平面型の壁掛けテレビジョン、広告や情報等の表示用のディスプレイに使用するＡ／Ｃ型プラズマディスプレイ装置に適用することができる。【００９３】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【産業上の利用可能性】
【００９４】
少なくとも２種類の維持放電電圧を生成し、少なくとも２種類の維持放電の拡がる領域を持たせることができる。これにより、１フィールド内の合計維持放電パルス数が減ったときでも、階調値と輝度との間のリニアリティを保ち、高画質を維持することができる。また、小電力モードによる表示又は高輝度モードによる表示を行うことができる。
【図１】
2007063587.tif 000003
【図２】
2007063587.tif 000004
【図３】
2007063587.tif 000005
【図４】
2007063587.tif 000006
【図５】
2007063587.tif 000007
【図６】
2007063587.tif 000008
【図７】
2007063587.tif 000009
【図８】
2007063587.tif 000010
【図９】
2007063587.tif 000011
【図１０】
2007063587.tif 000012
【図１１】
2007063587.tif 000013
【図１２】
2007063587.tif 000014
【図１３】
2007063587.tif 000015
【図１４】
2007063587.tif 000016
【図１５】
2007063587.tif 000017
【図１６】
2007063587.tif 000018
【図１７】
2007063587.tif 000019
【図１８】
2007063587.tif 000020
【国際調査報告】
2007063587.tif 000021
2007063587.tif 000022
2007063587.tif 000023
2007063587.tif 000024